(57)【要約】【課題】  この発明は、プロジェクタ装置の位置が変化したときまたは予め定められた内部状態の変化があったときに、変化があった項目とともにプロジェクタ装置の現在位置情報を管理サーバを介して当該プロジェクタの担当者に知らせることができるプロジェクタ管理システムを提供することを目的とする。【解決手段】  プロジェクタ装置は、現在位置を検出するための位置検出手段、ならびに位置検出手段によって検出された現在位置が変化したときまたは予め定められた内部状態の変化があったときに、当該プロジェクタ装置を表す固有情報、現在位置情報、変化があった項目を含む電子メールを管理サーバに送信する手段を備えている。【選択図】  図２
2006195711.tif 000002
【特許請求の範囲】
【請求項１】
プロジェクタ装置とプロジェクタ装置にネットワークを介して接続された管理サーバとからなり、
プロジェクタ装置は、現在位置を検出するための位置検出手段、ならびに位置検出手段によって検出された現在位置が変化したときまたは予め定められた内部状態の変化があったときに、当該プロジェクタ装置を表す固有情報、現在位置情報、変化があった項目を含む電子メールを管理サーバに送信する手段を備えており、
管理サーバは、プロジェクタ装置からの電子メールを受信した場合に、受信した電子メールの内容に基づいて、当該プロジェクタ装置の担当者を決定する手段、ならびに決定した担当者に、当該プロジェクタ装置を表す固有情報、現在位置情報、変化があった項目を含む文書を電子メールで送信する手段を備えていることを特徴とするプロジェクタ管理システム。
【請求項２】
プロジェクタ装置とプロジェクタ装置にネットワークを介して接続された管理サーバとからなり、
プロジェクタ装置は、現在位置を検出するための位置検出手段、ならびに位置検出手段によって検出された現在位置が変化したときまたは予め定められた内部状態の変化があったときに、当該プロジェクタ装置を表す固有情報、現在位置情報、変化があった項目を含む電子メールを管理サーバに送信する手段を備えており、
管理サーバは、地図データベース、プロジェクタ装置からの電子メールを受信した場合に、受信した電子メール内の現在位置情報に基づいて、地図データベースから上記現在位置の周辺の地図データを取得する手段、受信した電子メールの内容に基づいて、当該プロジェクタ装置の担当者を決定する手段、ならびに決定した担当者に、当該プロジェクタ装置を表す固有情報、現在位置情報、変化があった項目を含む文書と上記周辺の地図データとを電子メールによって送信する手段を備えていることを特徴とするプロジェクタ管理システム。
【発明の詳細な説明】
【技術分野】
【０００１】
この発明は、液晶プロジェクタ等のプロジェクタの管理システムに関する。
【背景技術】
【０００２】
液晶プロジェクタ装置において、異常が発生したときに、予め登録されたメールアドレスにその異常内容を示す電子メールを管理サーバに送信する機能を備えたものがある。このメールには、位置情報が含まれていないため、プロジェクタの現在位置を管理サーバに知らせることができなかった。
【特許文献１】特開２００１−３４４２０３号公報
【発明の開示】
【発明が解決しようとする課題】
【０００３】
この発明は、プロジェクタ装置の位置が変化したときまたは予め定められた内部状態の変化があったときに、変化があった項目とともにプロジェクタ装置の現在位置情報を管理サーバを介して当該プロジェクタの担当者に知らせることができるプロジェクタ管理システムを提供することを目的とする。
【課題を解決するための手段】
【０００４】
請求項１に記載の発明は、プロジェクタ装置とプロジェクタ装置にネットワークを介して接続された管理サーバとからなり、プロジェクタ装置は、現在位置を検出するための位置検出手段、ならびに位置検出手段によって検出された現在位置が変化したときまたは予め定められた内部状態の変化があったときに、当該プロジェクタ装置を表す固有情報、現在位置情報、変化があった項目を含む電子メールを管理サーバに送信する手段を備えており、管理サーバは、プロジェクタ装置からの電子メールを受信した場合に、受信した電子メールの内容に基づいて、当該プロジェクタ装置の担当者を決定する手段、ならびに決定した担当者に、当該プロジェクタ装置を表す固有情報、現在位置情報、変化があった項目を含む文書を電子メールで送信する手段を備えていることを特徴とするプロジェクタ管理システム。
【０００５】
請求項２に記載の発明は、プロジェクタ装置とプロジェクタ装置にネットワークを介して接続された管理サーバとからなり、プロジェクタ装置は、現在位置を検出するための位置検出手段、ならびに位置検出手段によって検出された現在位置が変化したときまたは予め定められた内部状態の変化があったときに、当該プロジェクタ装置を表す固有情報、現在位置情報、変化があった項目を含む電子メールを管理サーバに送信する手段を備えており、管理サーバは、地図データベース、プロジェクタ装置からの電子メールを受信した場合に、受信した電子メール内の現在位置情報に基づいて、地図データベースから上記現在位置の周辺の地図データを取得する手段、受信した電子メールの内容に基づいて、当該プロジェクタ装置の担当者を決定する手段、ならびに決定した担当者に、当該プロジェクタ装置を表す固有情報、現在位置情報、変化があった項目を含む文書と上記周辺の地図データとを電子メールによって送信する手段を備えていることを特徴とするプロジェクタ管理システム。
【発明の効果】
【０００６】
この発明によれば、プロジェクタ装置の位置が変化したときまたは予め定められた内部状態の変化があったときに、変化があった項目とともにプロジェクタ装置の現在位置情報を管理サーバを介して当該プロジェクタの担当者に知らせることができるようになる。
【発明を実施するための最良の形態】
【０００７】
以下、図面を参照して、この発明の実施例について説明する。
【実施例１】
【０００８】
図１は、プロジェクタ管理システムの構成を示している。
【０００９】
プロジェクタ管理システムは、複数のプロジェクタ装置１と、各プロジェクタ装置１にネットワーク２を介して接続された管理サーバ３とからなる。
【００１０】
図２は、プロジェクタ装置１の構成を示している。
【００１１】
プロジェクタ装置１は、液晶プロジェクタ１０と液晶プロジェクタ１０に通信端子を介して接続された外部ユニット２０とからなる。液晶プロジェクタ１０は、ＣＰＵ１１を備えている。ＣＰＵ１１は、記憶装置１２を備えている。ＣＰＵ１１には、ＧＰＳ受信回路１３が接続されている。ＧＰＳ受信回路１３には、ＧＰＳアンテナ１４が接続されている。ＧＰＳ受信回路１３は液晶プロジェクタ１０（プロジェクタ装置１）の現在位置を検出し、得られた位置情報をＣＰＵ１１に与える。
【００１２】
外部ユニット２０は、ＣＰＵ２１を備えている。ＣＰＵ２１は、記憶装置２２を備えている。ＣＰＵ１１は、メールサーバ（ソフトウエア）２３を介してＬＡＮポート２４に接続されている。このＬＡＮポート２４は、ネットワーク２を介して管理サーバ３のＬＡＮポート３５（図３参照）に接続されている。
【００１３】
プロジェクタ装置１には、固有のプロジェクタＩＤが割り当てられているとともに、固有のＩＰアドレスが割り当てられている。プロジェクタＩＤおよびＩＰアドレスは、外部ユニット２０内の記憶装置２２に登録されている。また、外部ユニット２０内の記憶装置２２には、液晶プロジェクタ１０の型番、ユーザ名および管理サーバ３の電子メールアドレスが登録されている。なお、ＩＰアドレスはプロジェクタ装置１を遠隔操作するための制御信号を管理サーバ３からプロジェクタ装置１に送ったり、状態をチェックするための制御信号を管理サーバ３からプロジェクタ装置１に送ったりするために用いられる。
【００１４】
プロジェクタ装置１は、プロジェクタ装置１の設置位置が変更されることにより位置情報が変化したとき、ＩＰアドレスが変更されたとき、または電源異常等の故障、ランプ交換時期に到達したとき等のようにプロジェクタ管理に関係するような内部状態の変化が発生したときには、プロジェクタＩＤ、型番、ユーザ名、ＩＰアドレス、位置情報、変化した項目を含む文書を、管理サーバ３に電子メール（E-mail) によって送信する。
【００１５】
図３は、管理サーバ３の構成を示している。
【００１６】
管理サーバ３は、ＣＰＵ３１を備えている。ＣＰＵ３１は、地図データベース３２および管理データベース３３を備えている。ＣＰＵ３１は、メールサーバ（ソフトウエア）３４を介してＬＡＮポート３５に接続されている。
【００１７】
地図データベース３２には、地図データが格納されている。管理データベース３３には、メール送信管理テーブルと、重要度／地図添付要否テーブルとが格納されている。
【００１８】
図４は、メール送信管理テーブルの内容例を示している。
【００１９】
メール送信管理テーブルには、各プロジェクタ装置に対する管理データが格納されている。この例では、管理データは、プロジェクタＩＤ、型番、ユーザ名、ＩＰアドレス、現在の位置、担当者名、担当者の電子メールアドレス、および担当者にＥメールを送信するための送信条件のデータからなる。同じプロジェクタ装置に対して送信条件が異なる複数の担当者が存在する場合には、メール送信管理テーブルには、当該プロジェクタ装置に対して、複数の管理データが格納されることになる。送信条件は、数値データで表されている。後述する重要度が、送信条件の数値以上であれば、担当者へのメール送信を行う。
【００２０】
なお、メール送信管理テーブルの管理データは、管理者によって変更することが可能である。また、この実施例では、管理データ中の現在位置は、プロジェクタ装置１からの電子メールによって位置情報が変化したことが通知された際に、その電子メールに含まれている現在の位置情報に基づいて自動的に書き換えられる。また、管理データ中のＩＰアドレスは、プロジェクタ装置１からの電子メールによってＩＰアドレスが変更されたことが通知された際に、その電子メールに含まれている変更後のＩＰアドレスに基づいて自動的に書き換えられる。
【００２１】
図５は、重要度／地図添付要否テーブルの内容例を示している。
【００２２】
重要度／地図添付要否テーブルには、プロジェクタ装置１から電子メールで通知されうる変化項目毎に、重要度を示す数値データと地図添付の要否データとが格納されている。地図添付の要否データは、１または０からなり、１は地図添付が必要なことを示し、０は地図添付が不要なことを示している。
【００２３】
この例では、ランプ交換時期に到達したことに対する重要度は”３”に、電源異常に対する重要度は”５”に、位置変化またはＩＰアドレスの変更に対する重要度は”２”に設定されている。
【００２４】
例えば、プロジェクタＩＤ”１”のプロジェクタ装置１から位置変化を知らせるメールを受信した場合には、重要度／地図添付要否テーブルから、重要度は”２”と決定され、地図添付が必要であると判別される。この場合には、メール送信管理テーブル内のプロジェクタＩＤ”１”に対応する２種類の管理データのうち、担当者がａである管理データの送信条件を満たすので、担当者ａに当該プロジェクタ装置のプロジェクタＩＤ、型番、ユーザ名、ＩＰアドレスおよび現在位置を示す情報とともに当該プロジェクタ装置の位置が変化したことを示す文書を電子メールによって送信する。この際、この電子メールに、当該プロジェクタ装置の現在位置の周辺地図を添付する。
【００２５】
例えば、プロジェクタＩＤ”１”のプロジェクタ装置１から電源異常を知らせるメールを受信した場合には、重要度／地図添付要否テーブルから、重要度は”５”と決定され、地図添付が必要と判別される。この場合には、メール送信管理テーブル内のプロジェクタＩＤ”１”に対応する２種類の管理データの両方の送信条件を満たすので、担当者ａおよびｅに当該プロジェクタ装置のプロジェクタＩＤ、型番、ユーザ名、ＩＰアドレスおよび現在位置を示す情報とともに当該プロジェクタ装置の位置が変化したことを示す文書を電子メールによって送信する。この際、この電子メールに、当該プロジェクタ装置の現在位置の周辺地図を添付する。
【００２６】
図６は、プロジェクタ装置１の外部ユニット２０内のＣＰＵ２１によって実行されるメール送信処理の手順を示している。
【００２７】
外部ユニット２０のＣＰＵ２１は、液晶プロジェクタ１０内のＣＰＵ１１から位置情報、内部状態（電源異常、ランプ交換等といったプロジェクタ管理に影響を及ぼすような内部状態）を取得するとともに、記憶装置２２から自己のＩＰアドレスを取得する（ステップＳ１）。そして、取得した位置情報、内部状態またはＩＰアドレスに変化があったか否かを判別する（ステップＳ２）。ステップＳ１で取得した位置情報、内部状態およびＩＰアドレスのいずれの項目にも変化がなかったときには、ステップＳ１に戻る。
【００２８】
上記ステップＳ２において、ステップＳ１で取得した位置情報、内部状態およびＩＰアドレスの少なくとも１つにおいて変化があったと判別した場合には、当該プロジェクタ装置のプロジェクタＩＤ、型番、ユーザ名、ＩＰアドレス、現在位置を示す情報および変化のあった項目を含む文書を電子メールによって管理サーバ３に送信する（ステップＳ３）。そして、ステップＳ１に戻る。
【００２９】
図７は、管理サーバ３内のＣＰＵ３１によって実行されるメール送受信処理の手順を示している。
【００３０】
常時は、プロジェクタ装置１から電子メールが送られてくるのを待機している。プロジェクタ装置１からの電子メールを受信すると（ステップＳ１１）、受信した電子メール内の変化があった項目に基づいて、当該プロジェクタ装置の現在位置が変化したか否かを判別する（ステップＳ１２）。位置変化がなかった場合には、ステップＳ１４に移行する。位置変化があった場合には、受信した電子メール内のプロジェクタＩＤおよび現在位置情報に基づいて、メール送信管理テーブル内の該当プロジェクタＩＤに対応する現在位置情報を、受信した現在位置情報に変更する（ステップＳ１３）。そして、ステップＳ１４に移行する。
【００３１】
ステップＳ１４では、受信した電子メール内の変化があった項目に基づいて、ＩＰアドレスの変更があったか否かを判別する。ＩＰアドレスの変更がなかった場合には、ステップＳ１６に移行する。ＩＰアドレスの変更があった場合には、受信した電子メール内のプロジェクタＩＤおよびＩＰアドレスに基づいて、メール送信管理テーブル内の該当プロジェクタＩＤに対応するＩＰアドレスを、受信したＩＰアドレスに変更する（ステップＳ１５）。そして、ステップＳ１６に移行する。
【００３２】
ステップＳ１６では、受信した電子メール内の変化した項目の内容と重要度テーブルとに基づいて、地図の添付が必要か否かを判別する。地図の添付が必要でない場合には、電子メール内の変化があった項目と重要度テーブルとに基づいて、重要度を決定する（ステップＳ１７）。受信した電子メール内のプロジェクタＩＤと、上記ステップＳ１７で決定した重要度と、メール送信管理テーブルとに基づいて、電子メールを送信する担当者を決定する（ステップＳ１８）。そして、決定した担当者に、当該プロジェクタ装置のプロジェクタＩＤ、型番、ユーザ名、ＩＰアドレス、現在位置および変化のあった項目を含む文書を電子メールによって送信する（ステップＳ１９）。この場合には、プロジェクタ装置の位置情報が担当者に送られるので、担当者は当該プロジェクタ装置の位置を認識できるようになる。そして、ステップＳ１１に戻る。
【００３３】
上記ステップＳ１６において、地図の添付が必要であると判別した場合には、受信した電子メール内の現在位置の情報に基づいて、その現在位置の周辺の地図データを地図データベース３２から取得する（ステップＳ２０）。次に、受信した電子メール内の変化があった項目と重要度テーブルとに基づいて、重要度を決定する（ステップＳ２１）。受信した電子メール内のプロジェクタＩＤと、上記ステップＳ２１で決定した重要度と、メール送信管理テーブルとに基づいて、電子メールを送信する担当者を決定する（ステップＳ２２）。そして、決定した担当者に、当該プロジェクタ装置のプロジェクタＩＤ、型番、ユーザ名、ＩＰアドレス、現在位置および変化のあった項目を含む文書と、上記ステップＳ２０で取得した地図データ（添付書類）とを電子メールによって送信する（ステップＳ２３）。この場合には、プロジェクタ装置の位置情報とその周辺地図が担当者に送られるので、担当者は当該プロジェクタ装置の位置をより認識しやすくなる。そして、ステップＳ１１に戻る。
【００３４】
上記実施例では、プロジェクタ装置１は、液晶プロジェクタ１０と外部ユニット２０とから構成されているが、図８に示すように、液晶プロジェクタ１０に外部ユニット２０の機能（メールサーバ機能）を持たせるようにしてもよい。この場合には、プロジェクタ装置１は、液晶プロジェクタ１０のみから構成される。
【００３５】
図８の液晶プロジェクタ１０は、ＣＰＵ１１を備えている。ＣＰＵ１１は、記憶装置１２を備えている。ＣＰＵ１１には、ＧＰＳ受信回路１３が接続されている。ＧＰＳ受信回路１３には、ＧＰＳアンテナ１４が接続されている。ＣＰＵ１１は、メールサーバ（ソフトウエア）１５を介してＬＡＮポート１６に接続されている。このＬＡＮポート１６は、ネットワーク２を介して管理サーバ３のＬＡＮポート３５に接続される。
【００３６】
記憶装置１２には、プロジェクタＩＤ、ＩＰアドレス、型番、ユーザ名および管理サーバ３の電子メールアドレスが登録されている。ＣＰＵ１１が図６に示すメール送信処理を実行する。
【図面の簡単な説明】
【００３７】
【図１】プロジェクタ管理システムの構成を示すブロック図である。
【図２】プロジェクタ装置１の構成を示すブロック図である。
【図３】管理サーバ３の構成を示すブロック図である。
【図４】メール送信管理テーブルの内容例を示す模式図である。
【図５】重要度／地図添付要否テーブルの内容例を示を示す模式図である。
【図６】プロジェクタ装置１の外部ユニット２０内のＣＰＵ２１によって実行されるメール送信処理の手順を示すフローチャートである。
【図７】管理サーバ３内のＣＰＵ３１によって実行されるメール送受信処理の手順を示すフローチャートである。
【図８】外部ユニット機能を備えた液晶プロジェクタ１０の構成を示すブロック図である。
【符号の説明】
【００３８】
１  プロジェクタ装置
３  管理サーバ
１０  液晶プロジェクタ
２０  外部ユニット
１１  ＣＰＵ
１２  記憶装置
１３  ＧＰＳ受信回路
１４  ＧＰＳアンテナ
１５  メールサーバ
１６  ＬＡＮポート
２１  ＣＰＵ
２２  記憶装置
２３  メールサーバ
２４  ＬＡＮポート
３１  ＣＰＵ
３２  地図データベース
３３  管理データベース
３４  メールサーバ
３５  ＬＡＮポート
【図１】
2006195711.tif 000003
【図２】
2006195711.tif 000004
【図３】
2006195711.tif 000005
【図４】
2006195711.tif 000006
【図５】
2006195711.tif 000007
【図６】
2006195711.tif 000008
【図７】
2006195711.tif 000009
【図８】
2006195711.tif 000010